(57)【要約】【課題】本発明は、携帯電子機器のメモリ小容量化を実現し、かつ多彩なデザインを携帯電子機器の表示部に表示させること。【解決手段】複数の層が重畳して構成される画像を表示する表示部１３と、前記画像に含まれる画像情報を記憶する記憶部２２と、前記複数の層のうちいずれかの層を前記画像情報に対応付けて管理すると共に、前記画像情報が前記複数の層のうちのいずれの層に対応付けて管理されるかに応じて当該画像情報の表示態様を変更して前記表示部に表示させる制御部２１と、を有し、前記記憶部２２は、前記画像に含まれる前記画像情報を複数記憶し、前記制御部２１は、前記複数の層を複数の画像情報のうちのそれぞれ異なる画像情報に対応付けて管理する。【選択図】図７（ａ）
2012058393.tif 000002
【特許請求の範囲】
【請求項１】
複数の層が重畳して構成される画像を表示する表示部と、
前記画像に含まれる画像情報を記憶する記憶部と、
前記複数の層のうちいずれかの層を前記画像情報に対応付けて管理すると共に、前記画像情報が前記複数の層のうちのいずれの層に対応付けて管理されるかに応じて当該画像情報の表示態様を変更して前記表示部に表示させる制御部と、を有し、
前記記憶部は、前記画像に含まれる前記画像情報を複数記憶し、
前記制御部は、前記複数の層を複数の画像情報のうちのそれぞれ異なる画像情報に対応付けて管理する
ことを特徴とする携帯電子機器。
【請求項２】
複数の層が重畳して構成される画像を表示する表示部と、
前記画像に含まれる画像情報を記憶する記憶部と、
前記複数の層のうちいずれかの層を前記画像情報に対応付けて管理すると共に、前記画像情報が前記複数の層のうちのいずれの層に対応付けて管理されるかに応じて当該画像情報の表示態様を変更して前記表示部に表示させる制御部と、を有し、
前記複数の層は、第１の層と、当該第１の層とは異なる第２の層と、を含み、
前記制御部は、前記画像情報について、前記第１の層と対応付ける場合は当該画像情報を第１の表示態様で表示させ、前記第２の層と対応付ける場合は前記第１の表示態様とは異なる第２の表示態様で表示させる
ことを特徴とする携帯電子機器。
【請求項３】
前記画像は待受画像であり、
前記制御部は、前記表示部に前記待受画像を表示させるときに、前記複数の層のうちいずれの層を前記画像情報に対応付けて管理するかを決定する
ことを特徴とする請求項１又は２に記載の携帯電子機器。
【請求項４】
前記制御部は、前記表示部に前記待受画像を表示させる度に、前記複数の層のうちいずれの層を前記画像情報に対応付けて管理するかを変更する
ことを特徴とする請求項３に記載の携帯電子機器。
【請求項５】
前記複数の画像情報は、背景画像情報を含み、
前記制御部は、前記背景画像情報を前記複数の層のうちのいずれかの層に対応付けて管理する場合に、前記表示部に表示される画像に含まれる複数の画像情報のうち、前記背景画像情報以外の画像情報を優先して前記表示部に表示させる
ことを特徴とする請求項１から４のいずれか１項に記載の携帯電子機器。
【請求項６】
前記複数の画像情報は、時刻に関する時刻画像情報を含み、
前記制御部は、前記時刻画像情報と前記複数の層のうちのいずれかの層に対応付けて管理する場合に、前記表示部に表示される画像に含まれる複数の画像情報のうち、前記時刻画像情報を当該時刻画像情報以外の画像情報よりも優先して前記表示部に表示させる
ことを特徴とする請求項１から５のいずれか１項に記載の携帯電子機器。
【請求項７】
前記制御部は、前記複数の層に対応付けて管理される前記画像情報のそれぞれの表示位置を決定し、前記表示部に表示される画像に含まれる全ての画像情報について、当該全ての画像情報の少なくとも一部が表示されるような表示位置に決定する
ことを特徴とする請求項１から６のいずれか１項に記載の携帯電子機器。
【請求項８】
表示部を有する携帯電子機器の画像表示方法であって、
前記表示部に複数の層が重畳して構成される画像を表示する場合に、
前記画像に含まれる画像情報を複数記憶するステップと、
前記複数の層のうちいずれかの層を前記画像情報に対応付けて管理するステップと、
前記画像情報が前記複数の層のうちのいずれの層に対応付けて管理されるかに応じて当該画像情報の表示態様を変更させるステップと、
前記複数の層を複数の画像情報のうちのそれぞれ異なる画像情報に対応付けて管理するステップと、
を有することを特徴とする携帯電子機器の画像表示方法。
【発明の詳細な説明】
【技術分野】
【０００１】
本発明は、画像を表示する表示部を備える携帯電話機やＰＤＡ（Ｐｅｒｓｏｎａｌ  Ｄｉｇｉｔａｌ  Ａｓｓｉｓｔａｎｔｓ）等の携帯電子機器及び携帯電子機器の画像表示方法に関する。
【背景技術】
【０００２】
最近の携帯電子機器は、多彩なデザインを表示部に表示できるようになっている。例えば、特許文献１には、携帯電子機器の表示部に表示させる待受画像として、静止画や動画等の画像を複数設定して多彩なデザインを表示できるものが開示されている。
【先行技術文献】
【特許文献】
【０００３】
【特許文献１】特開２００２−３００２４１号公報
【発明の概要】
【発明が解決しようとする課題】
【０００４】
ところで、携帯電子機器の表示部に多彩なデザインを表示させるためには、大容量のメモリが必要となる。本発明は、上記課題に鑑みてなされたものであって、携帯電子機器のメモリの小容量化を実現し、かつ多彩なデザインを表示部に表示可能な携帯電子機器及び携帯電子機器の画像表示方法を提供することを目的とする。
【課題を解決するための手段】
【０００５】
本発明は、複数の層が重畳して構成される画像を表示する表示部と、前記画像に含まれる画像情報を記憶する記憶部と、前記複数の層のうちいずれかの層を前記画像情報に対応付けて管理すると共に、前記画像情報が前記複数の層のうちのいずれの層に対応付けて管理されるかに応じて当該画像情報の表示態様を変更して前記表示部に表示させる制御部と、を有し、前記記憶部は、前記画像に含まれる前記画像情報を複数記憶し、前記制御部は、前記複数の層を複数の画像情報のうちのそれぞれ異なる画像情報に対応付けて管理することを特徴とする。
【０００６】
本発明は、複数の層が重畳して構成される画像を表示する表示部と、前記画像に含まれる画像情報を記憶する記憶部と、前記複数の層のうちいずれかの層を前記画像情報に対応付けて管理すると共に、前記画像情報が前記複数の層のうちのいずれの層に対応付けて管理されるかに応じて当該画像情報の表示態様を変更して前記表示部に表示させる制御部と、を有し、前記複数の層は、第１の層と、当該第１の層とは異なる第２の層と、を含み、前記制御部は、前記画像情報について、前記第１の層と対応付ける場合は当該画像情報を第１の表示態様で表示させ、前記第２の層と対応付ける場合は前記第１の表示態様とは異なる第２の表示態様で表示させることを特徴とする。
【０００７】
本発明は、前記画像は待受画像であり、前記制御部は、前記表示部に前記待受画像を表示させるときに、前記複数の層のうちいずれの層を前記画像情報に対応付けて管理するかを決定することを特徴とする。
【０００８】
本発明は、前記表示部に前記待受画像を表示させる度に、前記複数の層のうちいずれの層を前記画像情報に対応付けて管理するかを変更することを特徴とする。
【０００９】
本発明は、前記複数の画像情報は、背景画像情報を含み、前記制御部は、前記背景画像情報を前記複数の層のうちのいずれかの層に対応付けて管理する場合に、前記複数の画像情報のうち、前記背景画像情報以外の画像情報を優先して前記表示部に表示させることを特徴とする。
【００１０】
本発明は、前記複数の画像情報は、時刻に関する時刻画像情報を含み、前記制御部は、前記時刻画像情報と前記複数の層のうちのいずれかの層に対応付けて管理する場合に、前記複数の画像情報のうち、前記時刻画像情報を他の画像情報よりも優先して前記表示部に表示させることを特徴とする。
【００１１】
本発明は、前記制御部は、前記複数の画像情報のそれぞれの表示位置を決定すると共に、前記表示部に表示される全ての画像情報それぞれの少なくとも一部が表示されるような表示位置に決定することを特徴とする。
【００１２】
本発明は、表示部を有する携帯電子機器の画像表示方法であって、前記表示部に複数の層が重畳して構成される画像を表示する場合に、前記画像に含まれる画像情報を複数記憶するステップと、前記複数の層のうちいずれかの層を前記画像情報に対応付けて管理するステップと、前記画像情報が前記複数の層のうちのいずれの層に対応付けて管理されるかに応じて当該画像情報の表示態様を変更させるステップと、前記複数の層を複数の画像情報のうちのそれぞれ異なる画像情報に対応付けて管理するステップと、を有することを特徴とする。
【発明の効果】
【００１３】
本発明は、携帯電子機器のメモリの小容量化を実現し、かつ多彩なデザインを携帯電子機器の表示部に表示させることができる。
【図面の簡単な説明】
【００１４】
【図１】本実施形態に係る携帯電話機１の外観正面図である。
【図２】本実施形態に係る携帯電話機１の機能を説明するブロック図である。
【図３（ａ）】本実施形態に係る画像と画像に含まれる画像情報との関係を示す図である。
【図３（ｂ）】本実施形態に係る画像と画像に含まれる画像情報との関係を示す図である。
【図３（ｃ）】本実施形態に係る画像と画像に含まれる画像情報との関係を示す図である。
【図３（ｄ）】本実施形態に係る画像と画像に含まれる画像情報との関係を示す図である。
【図３（ｅ）】本実施形態に係る画像と画像に含まれる画像情報との関係を示す図である。
【図４（ａ）】本実施形態に係る画像と画像を構成する複数の層との関係を示す図である。
【図４（ｂ）】本実施形態に係る画像と画像を構成する複数の層との関係を示す図である。
【図５（ａ）】本実施形態に係る画像に含まれる画像情報と画像を構成する複数の層との関係を示す図である。
【図５（ｂ）】本実施形態に係る画像に含まれる画像情報と画像を構成する複数の層との関係を示す図である。
【図５（ｃ）】本実施形態に係る画像に含まれる画像情報と画像を構成する複数の層との関係を示す図である。
【図６】本実施形態に係る複数の層のそれぞれにおける画像情報の表示態様を示す図である。
【図７（ａ）】本実施形態に係る複数の層のうちのそれぞれ異なる層に対応付けて管理された画像情報を重畳して構成した画像を示す図である。
【図７（ｂ）】本実施形態に係る複数の層のうちのそれぞれ異なる層に対応付けて管理された画像情報を重畳して構成した画像を示す図である。
【図７（ｃ）】本実施形態に係る複数の層のうちのそれぞれ異なる層に対応付けて管理された画像情報を重畳して構成した画像を示す図である。
【図８】本実施形態のうち第１の実施形態に係る携帯電話機１の動作を示すフローチャートである。
【図９（ａ）】本実施形態に係る複数の層のそれぞれにおける画像情報の表示位置を示す図である。
【図９（ｂ）】本実施形態に係る複数の層のそれぞれにおける画像情報の表示位置を示す図である。
【図１０】本実施形態のうち第２の実施形態に係る携帯電話機１の動作を示すフローチャートである。
【発明を実施するための形態】
【００１５】
以下、本発明に係る最良の実施形態につき、図面を参照しながら詳細に説明する。
【００１６】
以下においては、携帯電子機器の一例として携帯電話機１を用いて説明するが、本発明の適用対象は携帯電話機に限定されるものではなく、例えば、ＰＨＳ（Ｐｅｒｓｏｎａｌ  Ｈａｎｄｙ  ｐｈｏｎｅ  Ｓｙｓｔｅｍ）、ＰＤＡ、ポータブルナビゲーション装置、ノートパソコン、ゲーム機等のあらゆる携帯電子機器に対しても適用可能である。
【００１７】
はじめに、図１および図２を用いて、本実施形態に係る携帯電話機１の構成を説明する。
【００１８】
図１は、本実施形態に係る携帯電話機１の外観正面図である。なお、図１は、操作部１１を有する操作部側筐体２と表示部１３を有する表示部側筐体３の２つの筐体からなるいわゆる折り畳み型の携帯電話機１の形態を示しているが、本発明に係る携帯電子機器の形態としては特にこれに限られない。
例えば、操作部側筐体２と表示部側筐体３の両筐体を重ね合わせた状態から一方の筐体を一方向にスライドさせるようにしたスライド式や、重ね合わせ方向に沿う軸線を中心に一方の筐体を回転させるようにした回転式（ターンタイプ）や、操作部１１と表示部１３とが１つの筐体に配置され、連結部を有さない形式（ストレープタイプ、フリップタイプ）でも良い。
【００１９】
本実施形態に係る携帯電話機１は、操作部側筐体２と、表示部側筐体３とを備え、操作部側筐体２と表示部側筐体３とはヒンジ機構を備える連結部４を介して連結される。ユーザは連結部４を介して連結された操作部側筐体２と表示部側筐体３とを、相対的に動かすことにより操作部側筐体２と表示部側筐体３とを折り畳んだ状態（閉状態）にしたり、操作部側筐体２と表示部側筐体３とを互いに開いた状態（開状態）にしたりすることが可能となる。
【００２０】
操作部側筐体２は、操作部１１と、マイクロフォン１２（以下、「マイク１２」という。）と、を有する。
【００２１】
操作部１１は、電話番号やメール等に用いる「かな」「カナ」「英字」「数字」「記号」等を入力するための記号入力キー、アプリケーションを実行させるためのアプリケーション実行キー、各種操作における決定を行う決定操作キーや上下左右方向のスクロール等を行わせるための方向指定キー、受話キー、クリアキー等から構成されている。また、マイク１２は、ユーザが通話時に発した音声が入力されるマイクの機能を有する。
【００２２】
なお、操作部側筐体２の側面には外部機器（例えば、ホスト装置）と通信を行うためのインターフェースと、所定の機能が割り当てられているサイドキーと、外部メモリの挿入及び取り出しが行われるインターフェースとが、設けられている（図示せず）。
【００２３】
表示部側筐体３は、表示部１３と、スピーカ１４と、を有する。
【００２４】
表示部１３は、各種情報を表示するためのものであり、ＬＣＤ（Ｌｉｑｕｉｄ  Ｃｒｙｓｔａｌ  Ｄｉｓｐｌａｙ）やＯＬＥＤ（Ｏｒｇａｎｉｃ  Ｌｉｇｈｔ  Ｅｍｉｔｔｉｎｇ  Ｄｉｏｄｅ）が採用される。表示部１３には、通信の待受け状態であって所定のアプリケーションが起動していない状態においては待受画像が表示され、所定のアプリケーションが起動している状態においては当該所定のアプリケーションに基づく画像が表示される。なお、表示部１３に表示される待受画像については、後述の記憶部２２にそれぞれ記憶される。また、スピーカ１４は、通話時の相手側の音声を出力するレシーバの機能を有する。
【００２５】
図２は、本実施形態に係る携帯電話機１の機能を説明するブロック図である。携帯電話機１は、前述の操作部１１と、マイク１２と、表示部１３と、スピーカ１４と、を有する。そして、その他に制御部２１と、記憶部２２と、メインアンテナ３１と、ＲＦ回路部３２と、音声処理部３３と、を有する。
【００２６】
制御部２１は、携帯電話機１を構成する各部を制御する。具体的に、制御部２１は、表示部１３、記憶部２２、ＲＦ回路部３２、音声処理部３３に対して所定の制御を行う。そして、制御部２１は、図示しない中央処理装置（ＣＰＵ）と、このＣＰＵを動作させる制御プログラムを含んでいる。なお、制御プログラムは後述する記憶部２２に記憶される。制御部２１の具体的な処理については後述する。
【００２７】
ここで、制御部２１および記憶部２２を説明するにあたって、本実施形態において表示部１３に表示される画像と、画像に含まれる画像情報と、画像を構成する複数の層との関係について、図３から図５を用いて、それぞれ詳細に説明する。
【００２８】
まず、図３を用いて、画像と画像に含まれる画像情報との関係について説明する。図３（ａ）に示すように、画像Ｘは画像情報Ａと画像情報Ｂと画像情報Ｃといった複数の画像情報を含んでいる。そして、ここで説明する画像情報Ａ、画像情報Ｂ、画像情報Ｃは、それぞれ独立したオブジェクト（対象）としての「花」である。ここで、一例としてあげる画像情報Ａは「バラ」の花であり、画像情報Ｂは「ダリア」の花であり、画像情報Ｃは「オステオスペルマム」の花である。なお、ここでは画像に含まれる画像情報が３つの例を示しているが、これに限られず、１つの画像に含まれている画像情報は１つであっても良いし、複数であっても良い。
【００２９】
また、画像情報の中でも背景画像情報とは、図３（ｂ）に示すように、いわゆる背景としての画像情報Ｄであり、画像情報Ａ、画像情報Ｂ、画像情報Ｃとは異なり、独立したオブジェクト（対象）ではなく、背景として全体に表示される。ここで、背景画像情報は全体に表示されるものでなくても、部分的に表示されるものであっても良い。そして、図３（ｃ）に示すように、背景画像情報である画像情報Ｄと画像情報Ａ、画像情報Ｂ、画像情報Ｃを重畳した画像を表示させることも可能である。
【００３０】
更に、画像情報の中でも時刻画像情報とは、図３（ｄ）に示すように、時刻等を示す画像情報Ｅであり、時刻の他に年月日や曜日も含む。また、いわゆるピクトインフォメーションとして、電池残量、電波状況、未読メールの有無等のアイコンを示す画像もここでいう時刻画像情報に含めるものとする。そして、図３（ｅ）に示すように、時刻画像情報である画像情報Ｅと、画像情報Ａ、画像情報Ｂ、画像情報Ｃを重畳した画像を表示させることが可能であるだけでなく、時刻画像情報である画像情報Ｅと、画像情報Ａ、画像情報Ｂ、画像情報Ｃ、および背景画像情報である画像情報Ｄとを重畳した画像を表示させることも可能である。
【００３１】
次に、図４を用いて、画像と画像を構成する複数の層との関係について説明する。図４（ａ）、図４（ｂ）に示すように、画像Ｘは複数の層である層α、層β、層γが重畳して構成される。すなわち、層α、層β、層γが組み合わさることにより、図４（ａ）に示す画像Ｘが形成されている。ここで、層とは実際に厚みを有した層であることを意味するのではなく、概念としての層であることを意味する。そして、表示部１３の正面から背面にかけて層α、層β、層γが重畳して画像情報Ａ、画像情報Ｂ、画像情報Ｃを含む画像Ｘを構成している。なお、ここでは画像を構成する層が３つの例を示しているが、これに限られず、複数であればいくつでも良い。
【００３２】
最後に、図５を用いて、画像に含まれる画像情報と画像を構成する複数の層との関係について説明する。図５（ａ）、図５（ｂ）、図５（ｃ）に示すように、複数の層にはそれぞれ画像情報が対応付けて管理されている。すなわち、図５（ａ）では、画像情報Ａと層αとが対応付けて管理されていることを示す。また、図５（ｂ）では、画像情報Ｂと層βとが対応付けて管理されていることを示す。また、図５（ｃ）では、画像情報Ｃと層γとが対応付けて管理されていることを示す。
ここで、層と画像情報との対応付けは一例であって、これに限られず、画像情報Ａが層βや層γと対応付けて管理される場合もある。同様に、画像情報Ｂが層αや層γ、画像情報Ｃが層αや層βと対応付けて管理される場合もある。
なお、ここでは複数の層全てにそれぞれ１つの画像情報が対応付けて管理される場合を例にあげたが、これに限られず、画像情報が対応付けられない層があっても良いし、また、１つの層に複数の画像情報が対応付けて管理されていても良い。
【００３３】
制御部２１は、本実施形態において、前述の複数の層のうちいずれかの層と画像情報とを対応付けて管理する。具体的には、図５に示す複数の層である層α、層β、層γのうち、いずれかの層に画像情報Ａ、画像情報Ｂ、画像情報Ｃのうちの少なくとも一の画像情報を対応付けて管理する。そして、制御部２１は、画像情報が複数の層のうちのいずれの層に対応付けて管理されるかに応じて当該画像情報の表示態様を変更して表示部１３に表示させる。具体的には、層αと画像情報Ａが対応付けて管理された場合と、層βと画像情報Ａが対応付けて管理された場合と、層γと画像情報Ａが対応付けて管理された場合とで、それぞれ画像情報Ａの表示態様を異ならせて表示部１３に表示させる。表示態様の具体例については後述する。
【００３４】
また、制御部２１は、画像の中でのそれぞれの画像情報の表示位置を決定する。具体的には、層α、層β、層γにそれぞれ対応付けて管理されている画像情報Ａ、画像情報Ｂ、画像情報Ｃについて、表示部１３への表示を行う際に、それぞれ画像の中のいかなる表示位置に表示させるかを決定する。
【００３５】
記憶部２２は、ＲＡＭやＥＰＲＯＭ等の記憶手段を有し、複数のアプリケーションや当該アプリケーションが必要とする各種のテーブル等が記憶されている。また、着脱可能な外部メモリを兼ねていても良い。
【００３６】
そして、記憶部２２は、例えば、通信の待受け状態に表示される複数の待受画像を記憶する。そして、記憶部２２に記憶された複数の待受画像のうち、ユーザが選択した待受画像や予め設定された待受画像を表示部１３に表示させることが可能である。また、携帯電話機１を閉状態から開状態へと遷移させて表示部１３に待受画像を表示させる度に、異なる待受画像をそれぞれ表示部１３に表示させても良い。同様に、所定のアプリケーションが表示部１３に表示されている状態で、当該アプリケーションを終了させて表示部１３に待受画像を表示させる度に、異なる待受画像をそれぞれ表示部１３に表示させても良い。
また、記憶部２２は前述の画像に含まれる画像情報を全て記憶すると共に、当該画像情報が複数の層のうちのいずれの層に対応付けて管理されるかを記憶する。
【００３７】
メインアンテナ３１は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド構成である。なお、本実施形態においては、第１の使用周波数帯として、８００ＭＨｚとしているが、これ以外の周波数帯であっても良い。また、メインアンテナ３１は第１の使用周波数帯で外部装置と通信を行い、ＧＰＳ通信のための第２の使用周波数帯に対応できるアンテナを別途設けても良い。
【００３８】
ＲＦ回路部３２は、メインアンテナ３１によって受信した信号を復調処理し、処理後の信号を制御部２１に供給する。そして、制御部２１から供給された信号を復調処理し、メインアンテナ３１を介して外部装置（基地局）に送信する。また、その一方で、メインアンテナ３１によって受信している信号の強度を制御部２１に通知する。
【００３９】
音声処理部３３は、制御部２１の制御に従って、ＲＦ回路部３２から供給された信号に対して所定の音声処理を行い、処理後の信号をスピーカ１４に出力する。スピーカ１４は、音声処理部３３から供給された信号を外部に出力する。
【００４０】
また、音声処理部３３は、制御部２１の制御に従って、マイク１２から入力された信号を処理し、処理後の信号をＲＦ回路部３２に出力する。ＲＦ回路部３２は、音声処理部３３から供給された信号に所定の処理を行い、処理後の信号をメインアンテナ３１に供給し、メインアンテナ３１により電波として外部に出力させる。
【００４１】
ところで、携帯電話機１において、複数の画像のうちのユーザにより選択された、或いは予め設定された画像を表示部１３に表示させることが可能である。しかし、多彩なデザインを画像として表示部１３に表示させる場合には、表示させるための画像を携帯電話機１に記憶させておくことが必要であり、デザインが多彩であればあるほど大容量のメモリを必要とする。
【００４２】
そこで、上記のような問題点を解決すべく、本実施形態に係る制御部２１は、次のような制御を行う。
＜第１の実施形態＞
以下、図６から図８を用いて本実施形態のうち第１の実施形態における携帯電話機１の制御部２１の動作について説明する。
【００４３】
図６は、本実施形態において、複数の層のそれぞれにおける画像情報の表示態様を示す図である。制御部２１は、画像情報Ａが層αに対応付けて管理されている場合に、これに応じた表示態様で画像情報Ａを表示部１３に表示させる。また、制御部２１は、画像情報Ｂが層βに対応付けて管理されている場合に、これに応じた表示態様で画像情報Ｂを表示部１３に表示させる。更に、制御部２１は、画像情報Ｃが層γに対応付けて管理されている場合に、これに応じた表示態様で画像情報Ｃを表示部１３に表示させる。
具体的には、図６に示すように、画像情報Ａが層αに対応付けて管理されている場合は、画像情報Ａは鮮明に表示されると共に、花が開花するといったアニメーションを伴う表示が行なわれる。画像情報Ａが層βに対応付けて管理されている場合は、画像情報Ａは鮮明に表示されるが、花が開花するといったアニメーションを伴わない表示が行なわれる。画像情報Ａが層γに対応付けて管理されている場合は、鮮明ではなくぼかして表示されると共に、花が開花するといったアニメーションを伴わない表示が行なわれる。同様に、画像情報Ｂ、画像情報Ｃについても、対応付けて管理されている層に応じてそれぞれ異なる表示態様で表示される。
【００４４】
ここで、画像情報Ａ、画像情報Ｂ、画像情報Ｃはそれぞれアニメーションを伴う画像である。これらのアニメーション画像に基づいて、アニメーションを伴う表示やアニメーションを伴わない表示を行うことが可能である。すなわち、画像情報Ａが層αに対応付けて管理されている場合は、制御部２１は、鮮明な画像かつアニメーションを伴う表示が行なわれるよう制御する。また、画像情報Ａが層βに対応付けて管理されている場合は、制御部２１は、鮮明な画像かつアニメーションを伴わない表示が行なわれるよう制御する。また、画像情報Ａが層γに対応付けて管理されている場合は、制御部２１は、鮮明ではなくぼかした画像かつアニメーションを伴わない表示が行なわれるよう制御する。なお、画像情報はアニメーションを伴う画像に限るものではない。
【００４５】
このように、本実施形態において、画像情報は対応付けて管理されている層に応じてそれぞれ異なる表示態様で表示されるが、ここで異なる表示態様としてどのような表示態様があるかについて説明する。
例えば、図６に示すように、鮮明に表示させると共にアニメーションを伴う表示が行なわれる表示態様と、鮮明に表示させるがアニメーションを伴わない表示が行なわれる表示態様と、鮮明ではなくぼかして表示されると共に、アニメーションを伴わない表示が行なわれる表示態様とは、それぞれ表示態様が異なる。このように、１つの画像情報であっても、アニメーションを伴う表示（動画）であるか、アニメーションを伴わない表示（静止画）であるか、鮮明な画像であるか、鮮明ではなくぼかし画像であるかを対応付けて管理されている層に応じて、それぞれ異ならせることが可能である。
【００４６】
また、異なる表示態様の他の例として、輝度を異ならせても良い。具体的には、画像情報Ａが層αと対応付けて管理されている場合に、明るく表示させ、画像情報Ａが層βと対応付けて管理されている場合に、少し明るく表示させ、画像情報Ａが層γと対応付けて管理されている場合に、暗く表示させることが可能である。他には、透過率を異ならせても良い。具体的には、画像情報Ａが層αと対応付けて管理されている場合に、低い透過率で表示させ、画像情報Ａが層βと対応付けて管理されている場合に、少し高い透過率で表示させ、画像情報Ａが層γと対応付けて管理されている場合に、高い透過率で表示させることが可能である。
このように、１つの画像情報であっても、対応付けて管理されている層に応じて様々な表示態様で表示部１３に表示させることが可能である。
【００４７】
図７は、本実施形態において、複数の層のうちのそれぞれ異なる層に対応付けて管理された画像情報を重畳して構成した画像を示す図である。図７（ａ）に示す画像Ｙは前述の通り、画像情報Ａが層αに画像情報Ｂが層βに画像情報Ｃが層γにそれぞれ対応付けて管理されている場合の画像である。すなわち、画像情報Ａを鮮明に表示させると共に、花が開花するといったアニメーションを伴う表示を行なわせる。また、画像情報Ｂを鮮明に表示させるが、アニメーションを伴わない表示を行なわせる。また、画像情報Ｃはぼかして表示させると共に、アニメーションを伴わない表示を行なわせる。そして、これらの層α、層β、層γが重畳して構成される画像が図７（ａ）に示す画像Ｙである。なお、対応付けて管理されている層に応じた画像情報のそれぞれの表示態様については、図６に示す図を参照する。
【００４８】
ここで、制御部２１は、画像情報が複数の層のうちのいずれの層に対応付けて管理されるかに応じて画像情報の表示態様を変更して表示部１３に表示させる。よって、画像情報Ａが層βに画像情報Ｂが層γに画像情報Ｃが層αに対応付けて管理されている場合には、制御部２１は次のような制御を行う。すなわち、画像情報Ｂを鮮明に表示させると共に、花が開花するといったアニメーションを伴う表示を行なわせる。また、画像情報Ｃを鮮明に表示させるが、アニメーションを伴わない表示を行なわせる。また、画像情報Ａをぼかして表示させると共に、アニメーションを伴わない表示を行なわせる。そして、これらの層α、層β、層γが重畳して構成される画像が図７（ｂ）に示す画像Ｙ´である。
【００４９】
同様に、画像情報Ａが層γに画像情報Ｂが層αに画像情報Ｃが層βに対応付けて管理されている場合には、制御部２１は次のような制御を行う。すなわち、画像情報Ｃを鮮明に表示させると共に、花が開花するといったアニメーションを伴う表示を行なわせる。また、制御部２１は、画像情報Ａを鮮明に表示させるが、アニメーションを伴わない表示を行なわせる。また、制御部２１は、画像情報Ｂをぼかして表示させると共に、アニメーションを伴わない表示を行なわせる。そして、これらの層α、層β、層γが重畳して構成される画像が図７（ｃ）に示す画像Ｙ´´である。
【００５０】
図７（ａ）、図７（ｂ）、図７（ｃ）に示すように、画像Ｙ、画像Ｙ´、画像Ｙ´´はそれぞれ異なる画像である。このように、本実施形態においては、同一の画像情報Ａ、画像情報Ｂ、画像情報Ｃを含む画像であっても、それぞれ対応付けて管理される層を異ならせることで、メモリの小容量化を実現すると共に、多彩なデザインを表示部１３に表示させることが可能となる。
【００５１】
また、画像は待受画像であり、制御部２１は表示部１３に待受画像を表示させるときに、複数の層のうちいずれの層に画像情報を対応付けて管理するかを決定しても良い。すなわち、制御部２１は、待受画像が表示部１３に表示されるタイミングで、例えば、画像情報Ａを、層αと対応付けて管理するのか、層βと対応付けて管理するのか、層γと対応付けて管理するのかを決定しても良い。ここで、待受画像を表示部１３に表示させるタイミングとは、例えば、携帯電話機１を閉状態から開状態にするタイミングや所定のアプリケーションを終了させるタイミングであるが、これに限られない。これにより、メモリの小容量化を実現すると共に、多彩なデザインで待受画像を表示させることが可能となる。
【００５２】
また、制御部２１は、待受画像が表示部１３に表示される度に、複数の層のうちいずれの層に画像情報を対応付けて管理するかを変更しても良い。すなわち、制御部２１は、待受画像が表示部１３に表示されるタイミングで、例えば、画像情報Ａが層αと対応付けて管理されているのを層βや層γと対応付けて管理するよう変更しても良い。これにより、メモリの小容量化を実現すると共に、待受画像を表示させる度に異なる多彩なデザインで待受画像を表示させることが可能となる。
【００５３】
また、複数の層は、第１の層（層α）と、第１の層とは異なる第２の層（層β）と、を含み、制御部２１は、画像情報について、第１の層（層α）と対応付けて管理する場合に第１の表示態様で表示させ、第２の層（層β）と対応付けて管理する場合に第１の表示態様とは異なる第２の表示態様で表示させても良い。
ここで、第１の表示態様とは、例えば、鮮明に表示させると共に、アニメーションを伴う表示を行なわせる表示態様であり、第２の表示態様とは、例えば、鮮明に表示させるが、アニメーションを伴わない表示を行なわせる表示態様である。これにより、メモリの小容量化を実現すると共に、多彩なデザインを表示させることが可能となる。
【００５４】
また、複数の画像情報は、背景画像情報を含み、制御部２１は、背景画像情報を複数の層のうちのいずれかの層に対応付けて管理する場合に複数の画像情報のうち背景画像情報以外の画像情報を優先して表示部に表示させても良い。すなわち、図３（ｂ）、図３（ｃ）に示すように、背景画像情報としての画像情報Ｄよりも、画像情報Ｄ以外の画像情報Ａ、画像情報Ｂ、画像情報Ｃが優先して表示部１３に表示される。これにより、背景画像情報が背面に表示されるため、背景としての視認性を向上させることが可能となる。
【００５５】
また、複数の画像情報は、時刻画像情報を含み、制御部２１は、時刻画像情報を複数の層のうちのいずれかの層に対応付けて管理する場合に、前記複数の画像情報のうち、時刻画像情報を当該時刻画像情報以外の画像情報よりも優先して表示部１３に表示させても良い。すなわち、図３（ｄ）、図３（ｅ）に示すように、時刻画像情報としての画像情報Ｅは、画像情報Ｅ以外の画像情報Ａ、画像情報Ｂ、画像情報Ｃよりも優先して表示部１３に表示される。これにより、時刻画像情報が前面に表示されるため、時刻としての視認性を向上させることが可能となる。
【００５６】
次に、図８のフローチャートを用いて第１の実施形態に係る携帯電話機１の動作の具体例を説明する。
【００５７】
はじめに、待受画像が表示されていない状態、或いは待受画像とは異なる画像（例えば、所定のアプリケーションに基づく画像）が表示されている状態において（ステップＳ１１）、ユーザによる操作等が行なわれたことにより、待受画像を表示させる処理が行なわれた場合に（ステップＳ１２：Ｙｅｓ）、ステップＳ１３、ステップＳ１４、ステップＳ１５に移行して制御部２１は、表示させる待受画像として表示させる画像に含まれる画像情報に対して次のような制御を行う。また、待受画像を表示させる処理が行なわれない場合は（ステップＳ１２：Ｎｏ）、ステップＳ１２の処理を繰り返して行う。
【００５８】
そして、ステップＳ１３、ステップＳ１４、ステップＳ１５において、待受画像として表示させる画像に含まれる画像情報Ａ、画像情報Ｂ、画像情報Ｃをそれぞれ抽出する。ここで、待受画像として表示させる画像に含まれる画像情報の抽出について待受画像を表示させる処理が行なわれた時点で必ずしも行う必要はなく、複数の層のそれぞれに対応付けて管理される画像情報がいかなる画像情報であるかを判断する時点で、かかる画像情報を抽出しても良い。
【００５９】
そして、抽出された画像情報Ａ、画像情報Ｂ、画像情報Ｂが層α、層β、層γのいずれと対応付けて管理されるかを判断する（ステップＳ１６、ステップＳ１８、ステップＳ２０）。まず、ステップＳ１６において、画像情報Ａ、画像情報Ｂ、画像情報Ｃがそれぞれ層αと対応付けて管理されるか否かを判断する。層αと対応付けて管理されていると判断された画像情報は（ステップＳ１６：Ｙｅｓ）、鮮明に表示させると共に、アニメーションを伴う表示が行なわれる（ステップＳ１７）。
また、層αと対応付けて管理されていると判断されなかった画像情報は（ステップＳ１６：Ｎｏ）、ステップＳ１８において、層βと対応付けて管理されるか否かを判断する。層Ｂと対応付けて管理されていると判断された画像情報は（ステップＳ１８：Ｙｅｓ）、鮮明に表示させるが、アニメーションを伴わない表示が行なわれる（ステップＳ１９）。
また、層γと対応付けて管理されていると判断されなかった画像情報は（ステップＳ１８：Ｙｅｓ）、ステップＳ２０において、層γと対応付けて管理されか否かを判断する。層γと対応付けて管理されていると判断された画像情報はぼかして表示させると共に、アニメーションを伴わない表示が行なわれる（ステップＳ２１）。ここで、画像情報Ａ、画像情報Ｂ、画像情報Ｃはそれぞれ層α、層β、層γのいずれかに対応付けて管理されているものとする。
【００６０】
以上で本フローチャートは終了する。このようにして、本実施形態においては、メモリの小容量化を実現すると共に、多彩なデザインを提供することが可能となる。
＜第２の実施形態＞
次に、図９および図１０を用いて本実施形態のうち第２の実施形態における携帯電話機１の制御部２１の動作について説明する。
【００６１】
図９は、本実施形態において、複数の層のそれぞれにおける画像情報の表示位置を示す図である。はじめに、制御部２１は、図５（ｃ）に示すように、画像情報Ｃが層γに対応付けて管理されている場合に、画像の中での画像情報Ｃの表示位置を決定する。次に、図５（ｂ）に示すように、画像情報Ｂが層βに対応付けて管理されている場合に、画像の中での画像情報Ｂの表示位置を決定する。最後に、図５（ａ）に示すように、画像情報Ａが層αに対応付けて管理されている場合に、画像の中での画像情報Ａの表示位置を決定する。
具体的には、制御部２１は、画像情報Ｃの表示位置が決定した後に、画像情報Ｂを、画像情報Ｃの少なくとも一部が表示されるような表示位置に表示するよう決定する。そして、画像情報Ｂの表示位置が決定した後に、画像情報Ａを、画像情報Ｂおよび画像情報Ｃの少なくとも一部が表示されるような表示位置に表示するよう決定する。
【００６２】
このようにして、画像情報Ａ、画像情報Ｂ、画像情報Ｃを含む画像が表示される際に、画像情報Ａ、画像情報Ｂ、画像情報Ｃのそれぞれの存在により隠れて表示されなくなってしまうといった事態を回避することで、メモリの小容量化を実現すると共に、視認性の高い多彩なデザインを提供することが可能となる。
なお、本実施形態においては、画像情報Ｃ、画像情報Ｂ、画像情報Ａの順に表示位置を決定しているが、これに限られず、どのような順番でそれぞれの画像情報の表示位置を決定しても良い。
【００６３】
また、第１の実施形態においては、１つの画像情報がそれぞれ対応付けて管理される層に応じて表示態様を変更させることとしていたが、これに限られない。すなわち、層αで予め対応付けて管理する複数の画像情報、層βで予め対応付けて管理する複数の画像情報、層γで予め対応付けて管理する複数の画像情報をそれぞれ記憶部２２が記憶していても良い。そして、記憶された複数の画像情報の中から抽出された画像情報を重畳することで画像を構成しても良い。つまり、層αに対応付けて管理される画像情報と、層βに対応付けて管理される画像情報と、層γに対応付けて管理される画像情報とは同一の画像情報ではなく、それぞれ異なる画像情報である。
【００６４】
そして、層α、層β、層γとそれぞれ対応付けて管理される画像情報は、ベクトルデータで描画された画像であっても良い。ベクトルデータとは、図形を点で結ばれた線で表すものであり、点の位置を決定することで自由に縮小・拡大することができる。ベクトルデータは高い性能の制御部２１を必要とするが、メモリの小容量化を実現することが可能である。このようにして、画像情報の描画にベクトルデータを用いることにより、メモリの小容量化を実現すると共に、多彩なデザインを提供することが可能となる。
【００６５】
また、層α、層β、層γとそれぞれ対応付けて管理される画像情報は、ビットマップデータで描画された画像であっても良い。ビットマップデータとは、画像を細密な点（ピクセル）に分割して、その点の色や濃度を数値として表現するものである。ビットマップデータデータは、高い性能の制御部２１を必要とせず、パフォーマンスの向上に寄与する。このようにして、画像情報の描画にビットマップデータを用いることにより、パフォーマンスを向上させると共に、多彩なデザインを提供することが可能となる。
【００６６】
なお、画像情報の表示位置を決定する前に、記憶部２２に記憶された層α、層β、層γとそれぞれ対応付けて管理される複数の画像情報の中から表示させるための画像情報やサイズ、色を選択しても良い。
具体的には、層αと対応付けて管理された画像情報として「バラ」の花、「ダリア」の花、「オステオスペルマム」の花がある場合に、どの画像情報を用いるか、また、いかなるサイズ、いかなる色で表示させるかを決定した後に、それぞれの画像情報の表示位置を決定しても良い。例えば、「バラ」・「赤」・「大」という画像情報を選択したり、「ダリア」・「ピンク」・「中」を選択したり、「オステオスペルマム」・「黄」・「小」という画像情報を選択することができ、多彩なデザインを提供することが可能となる。
【００６７】
また、制御部２１は、待受画像が表示部１３に表示される度に、画像情報の表示位置を変更しても良い。すなわち、制御部２１は、待受画像が表示部１３に表示されるタイミングで、例えば、画像情報Ａ、画像情報Ｂ、画像情報Ｃの表示位置をそれぞれ変更する。これにより、待受画像を表示部１３に表示させる度に、表示位置の異なる画像を表示させるため、多彩なデザインを提供することが可能となる。
【００６８】
次に、図１０のフローチャートを用いて第２の実施形態に係る携帯電話機１の動作の具体例を説明する。
【００６９】
はじめに、待受画像が表示されていない状態、或いは待受画像とは異なる画像（例えば、所定のアプリケーションに基づく画像）が表示されている状態において（ステップＳ３１）、ユーザによる操作等が行なわれたことにより、待受画像を表示させる処理が行なわれた場合に（ステップＳ３２：Ｙｅｓ）、ステップＳ３３、ステップＳ３４、ステップＳ３５に移行して制御部２１は、表示させる待受画像として表示させる画像に含まれる画像情報に対して次のような制御を行う。また、待受画像を表示させる処理が行なわれない場合は（ステップＳ３２：Ｎｏ）、ステップＳ３２の処理を繰り返して行う。
【００７０】
そして、ステップＳ３３、ステップＳ３４、ステップＳ３５において、待受画像として表示させる画像に含まれる画像情報Ａ、画像情報Ｂ、画像情報Ｃをそれぞれ抽出する。抽出された画像情報Ａは層αに、画像情報Ｂは層βに、画像情報Ｃは層γにそれぞれ対応付けて管理されている。ここで、本実施形態においては、画像情報Ａ、画像情報Ｂ、画像情報Ｃは複数の層のうちのいずれの層に予め対応付けて管理されていることとするが、これに限られず、第１の実施形態と同じように、それぞれの画像情報が複数の層のうちのいずれの層に対応付けて管理されているかを判定しても良い。
【００７１】
そして、制御部２１は、はじめに層γと対応付けて管理される画像情報Ｃの画像の中での表示位置を決定する（ステップＳ３６）。ステップＳ３６において、画像情報Ｃの画像の中での表示位置が決定した後に、制御部２１は、層βと対応付けて管理される画像情報Ｂの表示位置を画像情報Ｃの少なくとも一部が表示される表示位置に表示するよう決定する（ステップＳ３７）。そして、ステップＳ３７において、画像情報Ｂの表示位置が決定した後に、制御部２１は、層αと対応付けて管理される画像情報Ａの表示位置を画像情報Ｂおよび画像情報Ｃの少なくとも一部が表示される表示位置に表示するよう決定する（ステップＳ３８）。
【００７２】
そして、画像情報Ａは決定された表示位置に鮮明に表示されると共に、アニメーションを伴う表示が行なわれる（ステップＳ３９）。また、画像情報Ｂは決定された表示位置に鮮明に表示されるが、アニメーションを伴わない表示が行なわれる（ステップＳ４０）。そして、画像情報Ｃは決定された表示位置にぼかして表示されると共に、アニメーションを伴う表示が行なわれる（ステップＳ４１）。
【００７３】
以上で本フローチャートは終了する。このようにして、本実施形態においては、メモリの小容量化を実現すると共に、視認性の高い多彩なデザインを提供することが可能となる。
【００７４】
これまで、一実施形態として携帯電話機１を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【００７５】
１  携帯電話機
２  操作部側筐体
３  表示部側筐体
４  連結部
１１  操作部
１２  マイクロフォン
１３  表示部
１４  スピーカ
２１  制御部
２２  記憶部
３１  メインアンテナ
３２  ＲＦ回路部
３３  音声処理部
【図１】
2012058393.tif 000003
【図２】
2012058393.tif 000004
【図３（ａ）】
2012058393.tif 000005
【図３（ｂ）】
2012058393.tif 000006
【図３（ｃ）】
2012058393.tif 000007
【図３（ｄ）】
2012058393.tif 000008
【図３（ｅ）】
2012058393.tif 000009
【図４（ａ）】
2012058393.tif 000010
【図４（ｂ）】
2012058393.tif 000011
【図５（ａ）】
2012058393.tif 000012
【図５（ｂ）】
2012058393.tif 000013
【図５（ｃ）】
2012058393.tif 000014
【図６】
2012058393.tif 000015
【図７（ａ）】
2012058393.tif 000016
【図７（ｂ）】
2012058393.tif 000017
【図７（ｃ）】
2012058393.tif 000018
【図８】
2012058393.tif 000019
【図９（ａ）】
2012058393.tif 000020
【図９（ｂ）】
2012058393.tif 000021
【図１０】
2012058393.tif 000022